(57)【要約】【課題】  本発明はケース、ゴムフタ、受信装置を含むワイヤレスマウスを提供する。【解決手段】  ケースは受信装置を収納するように開口の収納室を含む。ゴムフタは前記開口に嵌め込んで前記収納室を閉鎖する。【選択図】  図２Ｂ
2008041074.tif 000002
【特許請求の範囲】
【請求項１】
開口の収納室を有するケースと、
前記開口に嵌め込んで前記収納室を閉鎖し、又は剥がして前記収納室を露出するゴムフタを含むことを特徴とするワイヤレスマウス。
【請求項２】
前記ゴムフタはさらに柱体と突起点を含み、前記開口の内側に、突起点より小さいギャップを形成し、前記柱体を前記ギャップに組み立てる時に前記突起点が前記ギャップの限定により前記ゴムフタと前記ケースが離れることを防止することを特徴とする、請求項１に記載するワイヤレスマウス。
【請求項３】
前記ケースはさらに前記開口に形成する溝を含み、前記ゴムフタが前記開口にはめ込まれる時に、ゴムフタの一部は前記溝により露出できることを特徴とする、請求項１に記載するワイヤレスマウス。
【請求項４】
さらに前記収納室に設置する受信装置を含むことを特徴とする、請求項１に記載するワイヤレスマウス。
【発明の詳細な説明】
【技術分野】
【０００１】
本発明はワイヤレスマウスに関し、特に受信装置をその内部に収納するワイヤレスマウスを指す。
【背景技術】
【０００２】
パソコンのユーザーにとって、マウスは必要な入力装置となる。しかし、有線のマウスは接続線により接続して信号をパソコンに入力しなければならず、ワイヤレスの方法により信号をパソコンに伝送するワイヤレスマウスはユーザーにとっても次第に人気があるようになってきた。しかし、ワイヤレスマウスはパソコンのスロットに挿入できる受信装置と合わせて信号をパソコンに入力するため、ユーザーはワイヤレスマウスを使用しないときも受信装置を収め受信装置を無くすことを避ける開放式のカバーを有し受信装置をワイヤレスマウスに収める設計があった。
【０００３】
図１は従来のワイヤレスマウスを示す傾斜分解図である。ワイヤレスマウス１は上ケース１０A、下ケース１０B、カバー１１と受信装置１２を含む。ワイヤレスマウス１は上ケース１０Aと下ケース１０Bの間に収納室１３を形成し、且つカバー１１を収納室１３の外側に設置し、受信装置１２を収納室１３に収めた後、カバー１１で閉鎖し受信装置１２とワイヤレスマウス１が離れることを防止する。
【０００４】
従来のワイヤレスマウス１は、中空体状の接続部１１１を形成し接続部を貫通する位置決めバー１４により、カバー１１を下ケース１０Bにピボットする。ユーザーはカバー１１を開け受信装置１２を収納室１３に収めた後閉鎖すれば、受信装置１２が収納室から離れることが防止される。
【０００５】
従来のワイヤレスマウス１についてはカバー１１と上ケース１０Aで懸架装置１１２と懸架台１５を対向し設置し、懸架台１５を弾性部材１６と押しボタン１７に接続する。ユーザーが押しボタン１７を押すと、懸架台１５と懸架装置１１２の結合状態を解除し、カバー１１が開かれる。ユーザーがカバー１１を閉じると、懸架台１５は弾性部材１６の付勢により懸架装置１１２をよく保持する。
【０００６】
従来のワイヤレスマウス１は硬い材料によりカバー１１を構成するため、ワイヤレスマウス１に接続部１１１と位置決めバー１４などの、スピン効果を発生する素子を設置しなければならず、また、懸架台１５と懸架装置１１２などの掛け金部材を設置しなければならない。多くの部材の設置はワイヤレスマウス１のコストを高くすると共に、組立ての許容誤差をより増加し、ワイヤレスマウスの品質に影響する。
【発明の開示】
【発明が解決しようとする課題】
【０００７】
本発明は受信装置を収納するワイヤレスマウスを提供し、このワイヤレスマウスは可撓のゴムフタにより受信装置の収納室を閉鎖することを目的とする。
【課題を解決するための手段】
【０００８】
本発明が提供するワイヤレスマウスは開口の収納室を有するケースと、
前記開口に嵌め込んで前記収納室を閉鎖し、又は剥がして前記収納室を露出するゴムフタを含むことを特徴とする。
【０００９】
好ましいワイヤレスマウスは、ゴムフタはさらに柱体と突起点を含み、開口の内側に突起点より小さいギャップを形成し、柱体をギャップに組み立てる時に、突起点がギャップの限定によりゴムフタとケースを離れることを防止することを特徴とする。
【００１０】
好ましいワイヤレスマウスは、ケースはさらに開口に形成する溝を含み、ゴムフタが開口にはめ込まれる時に、ゴムフタの一部は溝により露出できることを特徴とする。
【００１１】
好ましいワイヤレスマウスはさらに前記収納室に設置する受信装置を含むことを特徴とする。
【発明を実施するための最良の形態】
【００１２】
図２Ａは本発明に係る好ましい実施例が提供するワイヤレスマウスの傾斜図であり、図２Ｂはこのワイヤレスマウスの傾斜分解図である。
【００１３】
図２Ａと図２Ｂを参照する。ワイヤレスマウス２はケース２０、ゴムフタ２１、受信装置２２を含む。ケース２０に受信装置２２を収納するための収納室２３を設置し、且つこの収納室２３は開口２３’により露出させる。ゴムフタ２１はゴム材料からなるため、可撓のフタであり、ユーザーが受信装置２２を収納室２３に収めた後、ゴムフタ２１を収納室２３の開口２３’に嵌め込んで収納室２３を閉鎖し、或いはユーザーが受信装置２２を使用する場合はゴムフタ２１を開け受信装置２２と収納室２３を露出させる。
【００１４】
本実施例が提供するワイヤレスマウス２のゴムフタ２１は可撓であるため、ユーザーがゴムフタ２１を開けると、ゴムフタ２１が曲げられ収納室２３に収める受信装置２２を露出させ、ワイヤレスマウス２はスピン効果を発生する素子を別に設置する必要がない。このほかに、ユーザーがゴムフタ２１を収納室２３の開口２３’に嵌めこむと、ゴムフタ２１も自身の弾性により開口２３’によく密着しワイヤレスマウス２が掛け金を別に設置する必要がない。
【００１５】
図２Ｂを参照する。本実施例が提供するワイヤレスマウス２はゴムフタ２１の一端に柱体２１１と突起点２１２を形成し、且つ開口２３’に対向する内側に突起点２１２より小さいギャップ２０１を形成し、ゴムフタ２１の柱体２１１をケース２０内のギャップ２０１に組立てる時に、突起点２１２がギャップ２０１で限定され、こうして、ゴムフタ２１とケース２０が離れることが防止される。
【００１６】
図２Ａと図２Ｂを参照する。ユーザーは開口２３’に貼り付けるゴムフタ２１を開けて受信装置２２を取り出し／収めることが容易となるために、特にワイヤレスマウス２はケース２０での近傍の開口２３’箇所に溝２０２を形成し、ゴムフタ２１を開口２３’に嵌め込むと、ゴムフタ２１の一部は溝２０２により露出し、ユーザーはゴムフタ２１を開けることが容易となる。
【００１７】
上記に述べたことは本発明の技術思想と特徴というだけで、その目的はこの領域を熟知している技術者により本発明の内容を理解し実行することを目的とし、もちろん本発明の特許請求の範囲を制限するものではなく、即ち本発明が掲示する精神により等価な変化或いは変更を行なうことは、すべて上記の特許請求の範囲内に含まれる。
【図面の簡単な説明】
【００１８】
【図１】従来のワイヤレスマウスを示す傾斜分解図。
【図２Ａ】本発明に係る好ましい実施例のワイヤレスマウスを示す傾斜図。
【図２Ｂ】図２Ａのワイヤレスマウスを示す傾斜分解図。
【符号の説明】
【００１９】
１      ワイヤレスマウス
１０A  上ケース
１０B  下ケース
１１    カバー
１１１  接続部
１１２  懸架装置
１７    押しボタン
２      ワイヤレスマウス
２０    ケース
２０１  ギャップ
２０２  ケース
２１    ゴムフタ
１２    受信装置
１３    収納室
１４    位置決めバー
１５    懸架台
１６    弾性部材
２１１  柱体
２１２  突起点
２２    受信装置
２３    収納室
２３’  開口
【図１】
2008041074.tif 000003
【図２Ａ】
2008041074.tif 000004
【図２Ｂ】
2008041074.tif 000005